(57)【特許請求の範囲】
【請求項１】
低温保持装置（２、３、４）内に配置され、超伝導を示すケーブルコア（１）であって室温で柔軟なケーブルコア（１）を有する超伝導ケーブルにおいて、
操作温度までの冷却期間中に生じる収縮を補償するために、前記低温保持装置の長さに対する過剰の長さによる波形又はらせん形状で前記ケーブルコア（１）は前記低温保持装置（２、３、４）内に延在しており、
十字形の一つ又は複数のエレメント（５ａ、５ｂ）が縦軸方向の間隔の特定点（５ｃ）で前記ケーブルコア（１）に固定されていて、前記一つ又は複数のエレメント（５ａ、５ｂ）は熱膨張係数の低い材料からなり、
前記一つ又は複数のエレメント（５ａ、５ｂ）は、層の方向に相対する方向にらせん形状で前記ケーブルコア（１）の周りに取り付けられている、少なくとも２本のワイヤ又はストリップ（５ａ、５ｂ）からなり、前記一つ又は複数のエレメント（５ａ、５ｂ）は、互いに、及び、交差する点で前記ケーブルコア（１）に、機械的に堅く固定されている、
ことを特徴とする、超伝導ケーブル。
【請求項２】
前記一つ又は複数のエレメント（５ａ、５ｂ）は、インバール鋼からなることを特徴とする、請求項１に記載の超伝導ケーブル。
【請求項３】
前記一つ又は複数のエレメント（５ａ、５ｂ）は、前記ケーブルコア（１）の外側金属遮蔽材に点溶接又は点はんだ付けされていることを特徴とする、請求項１又は２に記載の超伝導ケーブル。
【発明の詳細な説明】
【技術分野】
【０００１】
本発明は、低温保持装置内側に配置されている、超伝導を示す柔軟性のあるケーブルコアを有する超伝導ケーブルに関する。
【背景技術】
【０００２】
超伝導材料ケーブルを生産するためには、超伝導を示すケーブルコアが作製され、次いで低温保持装置内に引き込まれるか、又は超伝導ケーブルコアが連続操作で低温保持装置の個々の構成部品により包み込まれる。
【０００３】
超伝導を示す柔軟性のあるケーブルコアの製造において、先ず非常に多くの超伝導ストリップ（strip）が相対的に長い層を有する銅ワイヤのストランドの周囲に配置される。続いて、ストリップ形状の多くの絶縁材の層が超伝導ストリップの層上に配置される。一般に、紙のストリップ又はプラスチックでラミネートされたストリップが超伝導ストリップの層上に巻きつけられる。絶縁材のこの層上に、少なくとも１つの超伝導ストリップの層を含む遮蔽材が取り付けられる、この遮蔽材は相当に長い層を有する絶縁材上に巻き付けられる。超伝導層の外側の一面に更に銅ストリップ層が存在する。
【０００４】
低温保持装置内側に配置されている、超伝導ケーブルは特許文献１の例から知られている。超伝導材料ケーブルの生産および低温保持装置内側への囲い込みは、室温で行われる、しかし、超伝導材料ケーブルの操作は、超伝導材料の臨界温度以下で行われるので、超伝導材料ケーブルの収縮は冷却期間に行われる、例えば、３００度Ｋから７７度Ｋで約０．３％の収縮が行われる。例えば６００ｍの長さのケーブルの場合、その結果、ケーブルコアの収縮は例えば１．８ｍになる。
【０００５】
それ故に問題が生ずるので、冷却期間中に生じる収縮をケーブルコアの過剰の長さにより補う必要がある、さもなければ強い張力がテーブルコアに働いてテーブルコアを損傷することになる。
【０００６】
この問題を解決するために、特許文献２から下記のことが知られている。すなわち、超伝導ケーブルコアを供給から取り出し、ケーブルコアを長手方向に調整した金属ストリップで包み込み、金属ストリップをチューブ状に成形し、長手方向の端を溶接し、溶接されたチューブに波形をつける。この際、波形チューブの内径はケーブルコアの直径よりも大きくなるようにする。その後、ケーブルコアと波形状金属チューブはケーブルドラム上に巻かれる。
【０００７】
ケーブルコアとコルゲートチューブはケーブルドラムの上に配置されている一方、ケーブルコアの末端は、波形チューブの末端で互いに機械的に接続されている。
ケーブルコアの剛性のために、巻き上げの間、金属チューブの内壁の外側方向への負荷に耐えている事がわかる、すなわち、ケーブルコアは最も大きくなる巻線直径をとる傾向がある、それにより、金属チューブに対するケーブルコアの過剰の長さが生ずる。
【特許文献１】ドイツ特許出願公開第102 21 534 号明細書
【特許文献２】ドイツ特許出願第10 2004 019 141号明細書
【発明の開示】
【発明が解決しようとする課題】
【０００８】
本発明は、超伝導ケーブルにおける冷却運転により、ケーブルコアに生ずる収縮に基づく損傷を発生させない構造の超伝導ケーブルを提供することを目的とする。
【課題を解決するための手段】
【０００９】
本発明は、（Ｉ）低温保持装置（２、３、４）内に配置され、超伝導を示すケーブルコア（１）であって室温で柔軟なケーブルコア（１）を有する超伝導ケーブルにおいて、前記ケーブルコア（１）が低温保持装置（２，３，４）内で波形又はらせん形状で延在していることを特徴とする、超伝導ケーブルに関する。
本発明の超伝導ケーブルにおいては更に下記の態様とすることができる。
（II）十字形の一つ又は複数のエレメント（５ａ、５ｂ）が縦軸方向（長手方向）の間隔の特定点でケーブルコア（１）に固定されていて、該一つ又は複数のエレメント（５ａ、５ｂ）が熱膨張係数の低い材料からなること、
（III）前記一つ又は複数のエレメント（５ａ、５ｂ）がインバール鋼からなること、
（IV）前記（II）又は（III）において、前記一つ又は複数のエレメント（５ａ、５ｂ）が層の方向に相対する方向にらせん形状でケーブルコア（１）の周りに取り付けられている、少なくとも２本のワイヤ又はストリップ（５ａ、５ｂ）からなり、該一つ又は複数のエレメント（５ａ、５ｂ）は、互いに、及び、交差する点で該ケーブルコア（１）に、機械的に堅く固定されていること
（Ｖ）一つ又は複数のエレメント（５ａ、５ｂ）がケーブルコア（１）の外側金属遮蔽材に点溶接又は点はんだ付けされていること
【発明の効果】
【００１０】
本発明の超伝導ケーブルは、その低温保持装置に液体窒素等を流入する冷却運転の際にケーブルコアに生ずる収縮に基づく損傷発生を防止可能である。
【発明を実施するための最良の形態】
【００１１】
本発明は、図１及び２で概略的に示された典型的な態様に基づいてより詳細に説明される。
図1は、ケーブルコア(１)を囲む低温保持装置を貫く側面の断面図を示す。
低温保持装置は、波形金属チューブ２、超断熱体３及び波形金属チューブ４を含む。波形金属チューブ２と４は、金属ストリップをスリットチューブに成形し、スリットを溶接し、その後波形成形する連続操作により製造される。超断熱体３は、反射金属ホイルと、例えばガラス繊維不織布のような熱非伝導材料とを交互に取り付けた層を含む。更に、金属チューブ２と４の間のスペースは真空にされる。
【００１２】
超伝導ケーブルは、超断熱体３を備えた金属チューブ２を金属チューブ４内に押し込むことにより生産することができる。ケーブルコア1は、前記操作の前またはその後に金属チューブ２に引き込むことができる。極めて長い長尺の生産に適している方法は、最初に金属ストリップが供給リールから連続的に取り出されたケーブルコアの周りにあるチューブ状に成形される、このチューブはその縦方向の継ぎ目に沿って溶接され、その後に波形に成形する。超断熱体３は金属チューブ２に取り付けられ、そして金属チューブ４は金属チューブ２ついて記載したと同様方法でその上部に取り付けられる。プラスチックのシース（さや）は６で表示される。
【００１３】
本発明の教示によれば、超伝導ケーブルが室温にある場合、これは生産の間の正常なケースであるが、ケーブルコア１は波形ライン又はらせん形状で取り付けられる。
その結果、ケーブルコアの"過剰の長さ"が低温保持装置内で創り出される。
波形又はらせん形状は、熱膨張率が極めて低い金属の１又はそれ以上のエレメント５（例えばワイヤ又はストリップ）により固定される、これらは、銅のバンド固定からなるケーブルコア１の外面に予め決められた間隔で、例えばはんだ付け又は溶接により接続されている。
インバール鋼はワイヤ又はストリップ用の材料として好ましい。
【００１４】
ケーブルコア1の好ましい典型的な態様を図２に示す。
ワイヤ５ａ及び５ｂは、非常に長い層を有するケーブルコア上に配置される。ワイヤ５ａの層の方向は、ワイヤ５ｂの層と反対方向にある。結合する点５ｃで、ワイヤ５ａと５ｂは、互いに及びケーブルコア1に機械的に堅く接続されている。この目的のために、ケーブルコア1は、外部金属層（表示はしていない）を有する。
【００１５】
超伝導ケーブルが作動状態に置かれるとき、液体窒素が金属チューブ２の内部の空間に導入される。ケーブルコアはそれにより冷却されて、収縮する。同時に波形形状は事実上消滅される。超伝導ケーブルの縦方向（長手方向）のケーブルコア1の範囲は、室温(３００Ｋ)で、及びケーブルの操作温度(７７Ｋ)の双方で低温保持装置の長さに相当する。
本発明は、電力等を長距離伝送する際の電力ケーブルとして広く使用することができる。
【図面の簡単な説明】
【００１６】
【図１】ケーブルコアに囲まれた低温保持装置を貫く側面の断面図
【図２】ケーブルコアの好ましい典型的な態様を示す図面
【符号の説明】
【００１７】
１  ケーブルコア
２  波形チューブ
３  超断熱材
４  波形チューブ
５  エレメント
６  シース
【図１】
0005118818.tif 000002
【図２】
0005118818.tif 000003